(57)【要約】      （修正有）【課題】簡単に設置することができるテーブル兼ジオラマ展示装置を提供する。【解決手段】上面が開放した容器であるジオラマ収納室１と、ジオラマ収納室１の上面を被覆する、透明の平面板である透明天板３とより構成する。ジオラマ収納室１内には鉄道車両などの移動物体と、線路、トンネル、家屋、畑などの固定物体と、適宜箇所に配置した照明用の発光源を設ける。【選択図】図１
0003189454.tif 000002
【実用新案登録請求の範囲】
【請求項１】
上面が開放した容器であるジオラマ収納室と、
ジオラマ収納室の上面を被覆する、透明の平面板である透明天板とより構成し、
ジオラマ収納室内には、鉄道車両などの移動物体と、線路、トンネル、家屋、畑などの移動しない固定物体と、適宜箇所に配置した照明用の発光源を備えたことを特徴とする、
テーブル兼ジオラマ展示装置。
【考案の詳細な説明】
【技術分野】
【０００１】
本考案はテーブルとジオラマ展示を兼ねた装置に関するものである。
【背景技術】
【０００２】
従来から多くの情景展示としてのジオラマは製造され展示物として公開されている。
特に電車や汽車が、草原やビル街を通過し、トンネルや鉄橋を通って駅舎で停止するようなジオラマは、大人が見ていても飽きさせないものがある。
したがって特に子供を対象とした施設、たとえば病院の小児科の待合室などに配置するのは最適の展示物ということができる。
【考案の概要】
【考案が解決しようとする課題】
【０００３】
このように子供の待合室などを前提とした場合に、さほど広くない場所では面積の問題、搬入の問題、そして費用の問題から、大型のジオラマを設置することは困難である。
【課題を解決するための手段】
【０００４】
上記のような従来の課題を解決した本考案のテーブル兼ジオラマ展示装置は、
上面が開放した容器であるジオラマ収納室と、
ジオラマ収納室の上面を被覆する、透明の平面板である透明天板とより構成し、
ジオラマ収納室内には、鉄道車両などの移動物体と、線路、トンネル、家屋、畑などの移動しない固定物体と、適宜箇所に配置した照明用の発光源を備えたことを特徴とするものである。
【考案の効果】
【０００５】
本考案のテーブル兼ジオラマ展示装置は上記したようになるから、次のような効果を得ることができる。
＜１＞移動物体や固定物体を配置したジオラマ収納室の上面は、透明の天板でカバーがしてあるから、必要に応じてその上を食卓や事務机などとして利用することができる。
＜２＞あまり広くない待合室であっても、その空間を犠牲にすることなく、子供の滞在時間にはジオラマとして、その他の時間は一般のテーブルとして有効に活用することができる。
＜３＞ジオラマ収納室の上部は、透明天板でカバーがしてあるので、子供は展示物を見て楽しむことができるが、手を出して触れることはできない。そのために展示物が破損したり、子供が怪我をする可能性がなく、安全に楽しみを与えることができる。
＜４＞ジオラマの収納室の内部にすべてが収納してあるから、独立した商品として簡単に設置、移動を行うことができる。
【図面の簡単な説明】
【０００６】
【図１】本発明のテーブル兼ジオラマ展示装置Ａの実施例の斜視図。
【図２】その断面図。
【図３】待合室に設置した例の説明図。
【考案を実施するための形態】
【０００７】
以下、図面を参照しながら本考案のテーブル兼ジオラマ展示装置の実施例を詳細に説明する。
【実施例】
【０００８】
＜１＞全体の構成。
本考案のテーブル兼ジオラマ展示装置Ａは、ジオラマ収納室１と、ジオラマ収納室１の内部に収納、設置したジオラマ２と、透明の平面板である透明天板３とによって構成する。
【０００９】
＜２＞ジオラマ収納室。
ジオラマ収納室１は、上面が開放した容器である。
その形状は例えば半球状、箱状、上に広がった円錐台や角錐台状、あるいは箱状の容器である。
このジオラマ収納室１は、例えば直径や長辺が１ｍ〜２ｍ程度の、事務机程度の大きさに構成する。
ジオラマ収納室１は、基礎の台４上に取り付けて高さを確保するが、その高さは幼児が上から覗きこめる程度の高さであることが望ましい。
したがって収納室１の形状次第では基礎の台４は不要となる。
また基礎の台を省略して床に上において楽しむこともできる。
【００１０】
＜３＞移動物体など。
ジオラマ収納室１内には、水平方向に床板２１を設置する。
そして床板２１の下には、後述する車両などの走行用の電源、照明用の電源、走行音や信号音、音楽など各種の音を再生する音源、線路を切り替える装置、走行時間や照明を切り替えるためのタイマー、あるいは霧発生装置、噴水装置などの駆動源２２を収納する。
一方、床板２１の上には移動物体２３と固定物体２４とを設置する。
移動物体２３とは、例えば鉄道車両、自動車、飛行機、船、人など、移動する対象物である。
それに対して、固定物体２４とは、鉄道線路、高速道路、街中の道路、海面などの移動しない物体である。
それらの周囲には民家、ビル、草原、畑、丘陵、川、など移動しない固定物体２４を配置する。
鉄道線路や高速道路などでは、途中にトンネル、鉄橋、駅舎などを配置すると興味をそそることができる。
さらに適宜箇所には照明用の発光源２５を備えて、側面や下面からの照明で対象物を浮き上がらせると、興味深い景観を呈することができる。
【００１１】
＜４＞透明天板。
ジオラマ収納室１はその上面が開放しているから、その上面を透明の平面板である透明天板３で被覆する。
この透明天板３は、ある程度の強度を持たせる。
そのために、透明天板３の上に食器を載せたり、書類やパソコンを載せて、これをテーブルとして使用することができる。
【００１２】
＜５＞設置例の１。
本考案の装置Ａを、介護ホーム、ケアホーム、グループホームなどの老人福祉施設に設置すると効果がある。
その場合にはお年寄りがお茶などを飲みながら本考案の透明天板３の下の移動物体２３、例えば鉄道ジオラマを見ることで、想像力の活性化や話題を提供することができる。
その際に固定物体２４として田舎の風景を基本に、周囲の発光源２５からの光線や音響の制御によって日の出から日没までの風景を演出して変化に富んだ状況を提供すると、痴ほう症やボケなどの進行を防ぐ回想療法としてさらに有効である。
その場合の音声としては鳥の鳴き声、犬の遠吠え、スズメのさえずり、豆腐屋のラッパの音、小学校の鐘やチャイムの音、歩行者の下駄の音、自転車のベル、寺の鐘、風鈴の音など各種の音声を採用することができる。
このように変化する景色と組み合わせた音声を提供することで、若き日の思い出話に花が咲き、会話のテーマが増えることで老人の脳の活性化を促進することができる。
【００１３】
＜６＞設置例の２。
本考案のテーブル兼ジオラマ展示装置Ａを、例えば医院の子供の待合室に設置することができる。（図３）
医院での待ち時間は子供にとって退屈で不愉快な時間である。
しかしこの装置が設置Ａしてあると、その天板３は透明であるから、子供たちは上から覗きこんで、時間を忘れて移動物体２３の動きや、固定物体２４の配置を飽きずに眺めることができる。
その場合にもジオラマ収納室１の上は、透明天板３でカバーしてあるから、興味に乗って手を出そうとしても、ジオラマ２に直接触れることはできない。
そのためにジオラマ２の破損を防止できるだけでなく、子供が車両などに触れて怪我をする可能性もない。
このように医院に本考案の装置Ａが設置してあれば、特に子供の気持ちの癒しや落ち着き、想像力の向上などを期待することができる。
その場合にはメルヘン調の汽笛の音、ポッポという蒸気機関車の音、ニワトリの鳴き声、犬の遠吠え、スズメのさえずり、牛や馬、羊の鳴き声、教会の鐘の音などを、著作権のない音楽とともに提供すれば、さらに飽きない時間を与えることができる。
さらに動物の鳴き声でその頭数を当てさせる、といったゲームのような活用を行うことができる。
上記の設置例とともに、いずれもスタートボタンを押して、例えば３分間だけ駆動させる、といった装置とすることもできる。
待合室での退屈な時間は子供に限らないから、成人男女の集う場所でも同様の効果を期待することができる。
【符号の説明】
【００１４】
１：ジオラマ収納室
２：ジオラマ
２１：床板
２３：移動物体
２４：固定物体
３：透明天板
４：台
【図１】
0003189454.tif 000003
【図２】
0003189454.tif 000004
【図３】
0003189454.tif 000005